(57)【要約】【課題】遮光板をキュービクルの上に固定する際の手間を抑制しつつ、遮光板のたわみを抑制できるようにすること。【解決手段】吸排気口が設けられた屋根部材１１が扉１３又は左右側板１４より突出するように設けられたキュービクル１への遮光板３の取付構造であって、屋根部材の上で遮光板を支持する支持部材２が、奥行きフレーム部２１と横フレーム部２２を備え、一対の奥行きフレーム部と一対の横フレーム部により四角枠状の部位が構成された構成とする。【選択図】図２
2020182351.tif 000002
【特許請求の範囲】
【請求項１】
吸排気口が設けられた屋根部材が扉又は左右側板より突出するように設けられたキュービクルへの遮光板の取付構造であって、
屋根部材の上で遮光板を支持する支持部材が、奥行きフレーム部と横フレーム部を備え、
一対の奥行きフレーム部と一対の横フレーム部により四角枠状の部位が構成された、
キュービクルへの遮光板の取付構造。
【請求項２】
奥行きフレーム部、若しくは、横フレーム部が、複数の遮光板を支えるように位置する請求項１に記載のキュービクルへの遮光板の取付構造。
【請求項３】
一対の奥行きフレーム部間、若しくは、一対の横フレーム部間に複数の中間フレーム部を備え、
中間フレーム部の各々が天井遮光板を支持する請求項２に記載のキュービクルへの遮光板の取付構造。
【請求項４】
遮光板は、支持部材の支持面と対向する天面板と、天面板の端部から上下方向に延びる折り曲げ片を備え、
支持部材に、複数の遮光板の折り曲げ片を挿入可能な切り欠き部を備えた請求項１から３の何れかに記載のキュービクルへの遮光板の取付構造。
【発明の詳細な説明】
【技術分野】
【０００１】
本発明は、キュービクルへの遮光板の取付構造に関するものである。
【背景技術】
【０００２】
特許文献１に記載されているように、電気電子機器などが納入される配電盤やキュービクルなどの筐体本体内の温度上昇や結露を防止するために天井遮光板を設けることが知られている。また、天井遮光板と筐体本体の間に通気経路を設けることも知られている。
【先行技術文献】
【特許文献】
【０００３】
【特許文献１】特開平６−９８４２５号公報
【０００４】
ところで、奥行き方向がある筐体本体の上に１枚の遮光板を取り付ける場合などには、雪の重みなどの外力に対して遮光板の中央部分のたわみが大きくなるなどの問題が生じる虞がある。この問題を解決するためには、筐体本体にスタッドボルトを複数取り付けて遮光板を固定することが考えられる。しかしながら、筐体本体に複数のスタッドボルトを固定しようとすると、溶接箇所が多くなり、固定作業に手間がかかるという問題がある。
【発明の概要】
【発明が解決しようとする課題】
【０００５】
本件の発明者は、この点について鋭意検討することにより、解決を試みた。本発明が解決しようとする課題は、遮光板をキュービクルの上に固定する際の手間を抑制しつつ、遮光板のたわみを抑制できるようにすることである。
【課題を解決するための手段】
【０００６】
上記課題を解決するため、吸排気口が設けられた屋根部材が扉又は左右側板より突出するように設けられたキュービクルへの遮光板の取付構造であって、屋根部材の上で遮光板を支持する支持部材が、奥行きフレーム部と横フレーム部を備え、一対の奥行きフレーム部と一対の横フレーム部により四角枠状の部位が構成された、キュービクルへの遮光板の取付構造とする。
【０００７】
また、奥行きフレーム部、若しくは、横フレーム部が、複数の遮光板を支えるように位置することが好ましい。
【０００８】
また、一対の奥行きフレーム部間、若しくは、一対の横フレーム部間に複数の中間フレーム部を備え、中間フレーム部の各々が天井遮光板を支持する構成とすることが好ましい。
【０００９】
また、遮光板は、支持部材の支持面と対向する天面板と、天面板の端部から上下方向に延びる折り曲げ片を備え、支持部材に、複数の遮光板の折り曲げ片を挿入可能な切り欠き部を備えた構成とすることが好ましい。
【発明の効果】
【００１０】
本発明では、遮光板をキュービクルの上に固定する際の手間を抑制しつつ、遮光板のたわみを抑制できる。
【図面の簡単な説明】
【００１１】
【図１】実施形態における遮光板が取り付けられたキュービクルの斜視図である。
【図２】図１の状態から遮光板を分けるように分解した分解斜視図である。
【図３】図１に示す屋根部材の周りを側面から見た部分拡大図である。
【図４】図３の内部構造を示した図である。
【図５】支持部材が取り付けられたキュービクルの上部付近の斜視図である。
【図６】支持部材の斜視図である。
【図７】遮光板を下側から見た斜視図である。
【図８】支持部材に遮光板が取り付けられた状態を下側から見た斜視図である。
【図９】支持部材に３枚の遮光板を取り付ける態様に関する、遮光板と支持部材の分解斜視図である。
【図１０】支持部材の長手方向を図５とは異なる態様とした場合における、支持部材が取り付けられたキュービクルの上部付近の斜視図である。
【発明を実施するための形態】
【００１２】
以下に発明を実施するための形態を示す。図１から図４に示されていることから理解されるように、本実施形態では、吸排気口１２が設けられた屋根部材１１が扉１３又は左右側板１４より突出するように設けられたキュービクル１に遮光板３を取り付ける取付構造について、屋根部材１１の上で遮光板３を支持する支持部材２が、奥行きフレーム部２１と横フレーム部２２を備え、一対の奥行きフレーム部２１と一対の横フレーム部２２により四角枠状の部位が構成されるものとしている。このように、遮光板３を枠状の支持部材２で支持するので、遮光板３をキュービクル１の上に固定する際の手間を抑制しつつ、遮光板３のたわみを抑制できる。本発明のように遮光板３を設ければ、屋根部材１１の外部要因により熱せられるのを抑制することができる。
【００１３】
図１から図４に示すことから理解されるように、キュービクル１は正面側に扉１３を備えた筐体本体１５と、筐体本体１５の上部を覆うように取り付けられた屋根部材１１を備えている。なお、図１に示す例では、キュービクル１の正面に３つの扉１３が設けられており、側面には、側板１４の他に１つの扉体が設けられているが、使用目的によって扉１３の数や位置を変更できる。
【００１４】
図１から図４に示す例では、吸排気口１２が設けられた屋根部材１１が筐体本体１５の正面に設けられた扉１３より前側に突出するように設けられており、且つ、筐体本体１５の背面に設けられた扉１３より後側に突出するように設けられている。吸排気口１２は屋根部材１１の下部に設けられており、この吸排気口１２を通じてキュービクル１の内部の空気を吸排気させることができる。なお、吸排気口１２を通ってキュービクル１の内部に雨水が侵入することを抑制するため、屋根部材１１には防水板１６が設けられている。
【００１５】
キュービクル１の屋根部材１１の上には、支持部材２を介して遮光板３が取り付けられるが、この支持部材２は、キュービクル１の奥行き方向に延びる奥行きフレーム部２１と、キュービクル１の左右幅方向に延びる横フレーム部２２を備えている。この例においては、金属製のフレームで構成された奥行きフレーム部２１と横フレーム部２２は溶接で一体に固定されている。奥行きフレーム部２１と横フレーム部２２は各々をねじ固定で一体に形成するものでも良い。また、この支持部材２は屋根部材１１に溶接で固定されている。ここで、図４に示すことから理解されるように、キュービクル１の屋根部材１１は傾斜状に形成されているため、屋根部材１１上に搭載される支持部材２、複数の遮光板３も傾斜させて固定されている。つまり、支持部材２上の遮光板３の表面に水が溜ることなく流れていくものである。このように、遮光板３が傾斜した構成であるため、複数の遮光板３は排水の機能を持たせなくても良い。なお、屋根部材１１が傾斜状に形成されているため、支持部材２に屋根部材１１を固定するだけで遮光板３などを傾斜させた構造とすることができる。
【００１６】
図５に示す例の支持部材２は、奥行きフレーム部２１が横フレーム部２２よりも長くなるよう構成されている。この例では、奥行きフレーム部２１が、複数の遮光板３を支えるように位置する。このように支持部材２により複数枚の遮光板３を支えるようにすれば、取り付け作業の手間を少なくすることができる。また、支持部材２により複数枚の遮光板３同士が対向する端部付近を支えることができる。
【００１７】
また、一対の横フレーム部２２の間には、一対の奥行きフレーム部２１に架け渡される中間フレーム部２３を備えている。この例においては、金属製のフレームで構成された中間フレーム部２３は溶接により奥行きフレーム部２１に固定されている。図１及び図５に示すことから理解されるように、この例では、一対の奥行きフレーム部２１間に複数の中間フレーム部２３を備え、中間フレーム部２３の各々が遮光板３を支持する。より具体的には、一枚の遮光板３は、一つの横フレーム部２２と中間フレーム部２３と、一対の奥行きフレーム部２１で支持されるものとなる。このように、中間フレーム部２３を備える構成とすることで、複数の遮光板３に対応させて、支持面を作ることができる。なお、中間フレーム部２３は奥行きフレーム２１にねじ固定などで一体に形成するようにしても良い。
【００１８】
図６に示す例では、支持部材２の奥行きフレーム部２１は、屋根部材１１と当接する脚状の固定片２７が上下方向に延びるように複数設けられており、この固定片２７と固定片２７の間には通気経路が設けられている。また、図６に示す例では、互いに平行になるように並べられた奥行きフレーム部２１の端部同士を掛け渡すように、横フレーム部２２が接合されるが、この横フレーム部２２の下端は、奥行きフレーム部２１の下端よりも上方に位置するように構成されており、横フレーム部２２の下方を通気経路とすることができる。つまり、実施形態においては、支持部材２の支持面の下方かつ屋根部材１１より上方の空間には、前後左右から空気が出入りできる。このため、キュービクル１の筐体本体１５の内部で熱を持った空気が上昇し屋根部材１１が熱せられた場合であっても、遮光板３と屋根部材１１との間を通過する風により放熱効果を上昇させることができる。
【００１９】
ところで、実施形態の遮光板３は、図７及び図８に示すことから理解されるように、支持部材２の支持面と対向する天面板３１と、天面板３１の端部から上下方向に延びる折り曲げ片３２を備えている。この天面板３１は、遮光板３としての機能を担う部位であり、図７に示す例においては、長方形の平板状となっている。また、図７に示す例の遮光板３においては、折り曲げ片３２が天面板３１の四方端部から上下方向に延びるように構成され、天面板３１の補強のために必要としている。
【００２０】
図６及び図８に示すことから理解されるように、支持部材２の上部には切り欠き部２４を備えている。より具体的には、支持部材２には、複数の遮光板３の折り曲げ片３２を挿入可能な切り欠き部２４を備えている。支持部材２の上に遮光板３を載せた際に、折り曲げ片３２が切り欠き部２４に装入されるようにすれば、遮光板３のずれなどが生じにくくなる。一般的に、キュービクル１の屋根部材１１の上面は傾いているため、遮光板３の固定ねじ９１などが弛んだ場合に遮光板３がずり落ちる可能性もあるが、切り欠き部２４に折り曲げ片３２が挿入された仮置きの状態にしておけば、そのような可能性を低減させることができる。
【００２１】
上記するように、切り欠き部２４に複数の折り曲げ片３２を挿入するようにすれば、切り欠き部２４の数を減らすことができ、製造過程が効率的になる。また、隣り合う遮光板３の間隔を抑制することもできる。
【００２２】
なお、図４から図８に示すことから理解されるように、本実施形態では、支持部材２に雌ねじ部２５が備えられているとともに、遮光板３に貫通孔３３が設けられており、遮光板３の上方から固定ねじ９１を貫通孔３３に挿入して雌ねじ部２５に螺合させれば、遮光板３を支持部材２に固定することができる。なお、実施形態の雌ねじ部２５はカシメ固定されるナットが使用されているが、溶接固定されたナットや奥行きフレーム部２１や横フレーム部２２に孔部を形成し、雌ねじを切っておくものでも良い。
【００２３】
ところで、上記した例では、２枚の遮光板３を支持部材２で支持する構成であるが、支持部材２で支持する遮光板３は３枚以上にしても良い。図９に３枚の遮光板３を支持部材２で支持する例を示すが、この例では、両端に位置する遮光板３は、それぞれ、一つの横フレーム部２２と中間フレーム部２３と、一対の奥行きフレーム部２１で支持される。また、中央に位置する遮光板３は、二つの中間フレーム部２３と、一対の奥行きフレーム部２１で支持される。
【００２４】
また、上記した例では、奥行きフレーム部２１が、複数の遮光板３を支えるように位置しているが、図１０に示すことから理解されるように、横フレーム部２２が、複数の遮光板３を支えるように位置するものとしても良いし、一対の横フレーム部２２間に複数の中間フレーム部２３を備え、中間フレーム部２３の各々が遮光板３を支持するように構成しても良い。
【００２５】
以上、実施形態を例に挙げて本発明について説明してきたが、本発明は上記実施形態に限定されることはなく、各種の態様とすることが可能である。例えば、支持部材は、横フレーム部と奥行フレーム部と中間フレーム部を溶接することにより設けるものである必要は無い。一枚の板で四角枠状に構成するようなものであっても良い。この場合、前後左右に通風可能な通気口を備えていることが好ましい。
【符号の説明】
【００２６】
１  キュービクル
２  支持部材
３  遮光板
１１  屋根部材
１２  吸排気口
１３  扉
１４  側板
２１  奥行きフレーム部
２２  横フレーム部
２３  中間フレーム部
２４  切り欠き部
３１  天面板
３２  折り曲げ片
【図１】
2020182351.tif 000003
【図２】
2020182351.tif 000004
【図３】
2020182351.tif 000005
【図４】
2020182351.tif 000006
【図５】
2020182351.tif 000007
【図６】
2020182351.tif 000008
【図７】
2020182351.tif 000009
【図８】
2020182351.tif 000010
【図９】
2020182351.tif 000011
【図１０】
2020182351.tif 000012